(57)【特許請求の範囲】
【請求項１】
袋内に粒子状の充填材が封入されてなる変形可能な袋体を備え、
前記袋体は、筆記用具またはカトラリーのグリップを抜き差し可能な差し込み口を先端側に有する筒状部と、この筒状部を内包可能な把持部とを有し、
筆記用具またはカトラリーのグリップを前記筒状部に差し込み内部へ押し込んだ状態で使用者が前記把持部を握って使用可能に構成され、
前記筒状部は、前記袋体の一部を内部へ押し込んで形成され、筆記用具またはカトラリーのグリップの端部と接触可能な底部を有していることを特徴とするグリップカバー。
【請求項２】
前記袋が伸縮性の生地からなる請求項１に記載のグリップカバー。
【請求項３】
前記筒状部に帯状の滑り止めシート材が設けられた請求項１または２に記載のグリップカバー。
【請求項４】
前記把持部は、くびれ部と、前記くびれ部よりも前記差し込み口側に配置された先端側膨出部と、前記くびれ部よりも前記差し込み口と反対側に配置された基端側膨出部とを有する形状に形成されている請求項１〜３のいずれか１つに記載のグリップカバー。
【請求項５】
前記基端側膨出部は、前記筒状部に筆記用具またはカトラリーを差し込んだ状態において、筆記用具またはカトラリーの軸心方向と直交する一方向に膨らんだ形状に形成されている請求項４に記載のグリップカバー。
【請求項６】
前記先端側膨出部は、前記基端側膨出部が膨らんだ方向と同じ方向に膨らんでいる請求項５に記載のグリップカバー。
【請求項７】
前記把持部は、略一定径の円柱形に形成されている請求項１〜３のいずれか１つに記載のグリップカバー。
【発明の詳細な説明】
【技術分野】
【０００１】
本発明は筆記用具またはカトラリーのグリップカバーに関する。
【背景技術】
【０００２】
鉛筆、シャープペンシル、ボールペン等の筆記用具を用いて筆記する場合、使用者は紙に対して垂直に近い状態で筆圧をかけ続けながら筆記用具を移動させることにより、一定の濃さと太さの線を描くことができる。このとき、筆圧をかけると筆記用具を握る指が滑るため、滑らないよう指に力が入る。したがって、筆記用具を用いて筆記を続けると、筆記用具の軸体に押し付けられた指が痛くなる、あるいは筆記用具を握る手がくたびれ握力が弱くなって書き続けられなくなるといった不具合が生じる。
【０００３】
このような不具合を軽減する目的で、ゴム、エラストマー、発泡樹脂等の弾性材料からなるチューブ形の弾性グリップがグリップ部に配置された筆記用具（例えば、特許文献１参照）が市販されている。
また、前記不具合を低減する目的で、特許文献２では筆記用具の先端部分のみを露出させるよう柔軟な生地で造られた筆記用具カバーが提案され、特許文献３では木、紙、樹脂等の材料で造られたボールペンカバーが提案されている。
【先行技術文献】
【特許文献】
【０００４】
【特許文献１】特開２０００−５２６８３号公報
【特許文献２】実開平５−７４８８８号公報
【特許文献３】特開２００６−３５６３３号公報
【発明の概要】
【発明が解決しようとする課題】
【０００５】
特許文献１の発明の場合、厚い弾性グリップであれば指の痛みを軽減することはできるが、弾性グリップは軸体に被せられているため大きく弾性変形することができない。そのため、使用者は弾性グリップを握る手にフィット感を感じ難く、長時間の筆記による手の疲れは軽減され難い。
特許文献２の発明の場合、軸体全体を柔軟な生地で覆っているものの、生地は薄いため使用者はフィット感を感じ難く、長時間の筆記による手の疲れは軽減され難い。
特許文献３の発明の場合、使用者が握りやすいようカバーのグリップ部を曲面で形成しているが、カバー自体にクッション性はないため、長時間筆記を続けると指が痛くなりやすい。
【０００６】
このように、特許文献１〜３の発明はいずれも長時間の筆記による手の疲れや指の痛みを軽減し難いものであった。
また、長時間の筆記による手の疲れを軽減する上で、筆記用具のグリップ部の太さは使用者の手の大きさに応じた太さであることが重要であるが、特許文献１〜３におけるいずれのグリップ部も使用者の手の大きさに関係なく一定であった。
【０００７】
また、一方では、握力が弱い高齢者や手が不自由な身体障害者などはスプーンのグリップを強く握ることができず、そのためスプーンで掬った料理をこぼしたり落としてしまうといった粗相を引き起こしやすいという問題がある。
【０００８】
本発明は、このような課題に鑑みなされたものであり、筆記用具またはカトラリーのグリップに装着することにより軽い力で握ることができるグリップカバーを提供することを目的とする。
【課題を解決するための手段】
【０００９】
かくして、本発明によれば、袋内に粒子状の充填材が封入されてなる変形可能な袋体を備え、
前記袋体は、筆記用具またはカトラリーのグリップを抜き差し可能な差し込み口を先端側に有する筒状部と、この筒状部を内包可能な把持部とを有し、
筆記用具またはカトラリーのグリップを前記筒状部に差し込み内部へ押し込んだ状態で使用者が前記把持部を握って使用可能に構成され、
前記筒状部は、前記袋体の一部を内部へ押し込んで形成され、筆記用具またはカトラリーのグリップの端部と接触可能な底部を有しているグリップカバーが提供される。
【発明の効果】
【００１０】
筆記用具のグリップ（柄部）をグリップカバーに装着した使用状態において、粒子状の充填材の流動性によって把持部は使用者の手にフィットする形状および太さに変形するため、細い筆記用具を直接握る場合と比べて長時間の筆記による使用者の手の疲れや指の痛みを軽減することができる。また、軽い力で把持部を握っても手から筆記用具が脱落することなく筆記可能であるため、握力が弱い高齢者や手が不自由な身体障害者であっても本発明のグリップカバーを介して筆記用具を握って筆記することが可能となる。
また、カトラリーの一種であるスプーンのグリップ（柄部）をグリップカバーに装着した場合も、軽い力で把持部を握っても手からスプーンが脱落することなく使用可能であるため、握力が弱い高齢者や手が不自由な身体障害者であっても本発明のグリップカバーを介してスプーンを握って容易に食事をすることが可能となる。なお、ナイフやフォークを使用する場合も同様である。
また、前記筒状部は、前記袋体の一部を内部へ押し込んで形成され、筆記用具またはカトラリーのグリップの端部と接触可能な底部を有しているため、筒状部を簡単に形成することができる上、筒状部内に筆記用具またはカトラリーを押し込む際に底部がストッパとなる。そのため、筒状部よりも長い筆記用具またはカトラリーであれば筆記中または食事中に筆記用具全体が筒状部内へ埋没してしまうという不具合を防止することができる。
【図面の簡単な説明】
【００１１】
【図１】本発明のグリップカバーの実施形態１の使用状態を示す斜視図である。
【図２】実施形態１のグリップカバーの筆記用具装着前の状態を示す右側面図である。
【図３】実施形態１のグリップカバーの筆記用具装着前の状態を示す右側断面図である。
【図４】実施形態１のグリップカバーの筆記用具装着直前の状態を示す斜視図である。
【図５】実施形態１のグリップカバーの筆記用具装着手順を説明する図であって、（Ａ）はボールペンの差し込み状態、（Ｂ）はボールペンの押し込み状態、（Ｃ）はボールペンの芯出し状態を示している。
【図６】絵筆を装着した実施形態１のグリップカバーの使用状態を示す斜視図である。
【図７】筆記用具を装着した実施形態２のグリップカバーであって、（Ａ）は左側面図、（Ｂ）は左側断面図である。
【図８】スプーンを装着した実施形態２のグリップカバーの使用状態を示す斜視図である。
【発明を実施するための形態】
【００１２】
本発明のグリップカバーは、袋内に粒子状の充填材が封入されてなる変形可能な袋体を備え、
前記袋体は、筆記用具またはカトラリーのグリップを抜き差し可能な差し込み口を先端側に有する筒状部と、この筒状部を内包可能な把持部とを有し、
筆記用具またはカトラリーのグリップを前記筒状部に差し込み内部へ押し込んだ状態で使用者が前記把持部を握って使用可能に構成されている。
【００１３】
ここで、本発明において「筆記用具」とは、例えば、鉛筆、シャープペンシル、ボールペン、万年筆、マジックペン、蛍光ペン、書道用および絵画用の筆、タッチパネル方式情報端末向用ペン等が挙げられる。
また、本発明において「筆記」とは、筆記用具を用いて文字、記号、点、線、図形等を記録媒体（紙、情報端末のタッチパネル等）に記すことを意味する。
また、本発明において「カトラリー」とは、食事に使用される飲食用具であって、スプーン、ナイフ、フォーク等が挙げられる。
【００１４】
本発明において、袋体の袋としては、特に限定されず、例えば、織物または編み物の生地からなる袋、プラスチックシートからなる袋、網袋等を用いることができる。
また、充填材としては、例えば、発泡樹脂粒子、ガラスビーズ、プラスチックビーズ、そば殻、木製ペレット、小石、砂等の粒子状の充填材が用いられる。
【００１５】
これらの中でも、織物または編み物の生地からなる袋内に粒子状の充填材を充填してなる袋体は、変形のしやすさ、変形させた状態の維持しやすさ、および良好な感触が得られる点で好ましい。特に、伸縮性を有する生地からなる袋内に発泡樹脂粒子（例えば、発泡ポリスチレン系樹脂粒子）を充填してなる袋体は顕著であり、袋体の立体形状デザインの自由度を拡大させることができる。また、袋が伸縮性を有することで、筒状部が径方向に伸縮することができるため、太さが異なる複数種類の筆記用具を筒状部に装着することが可能となる。
【００１６】
本発明のグリップカバーは、さらに次のように構成されてもよい。
（１）前記筒状部に帯状の滑り止めシート材が設けられてもよい。
このようにすれば、筒状部に差し込んだ筆記用具またはカトラリーは滑り止めシート材と接触するため、筆記用具またはカトラリーが筒状部から不意に抜け出ることがない。また、筆記の際は滑り止めシート材によって筆記用具が滑り止めされているので、筆記用具が筒状部内で軸心廻りに回転せず安定するため、把持部を軽く握るだけで安定的に筆記が行える。また、食事の際は滑り止めシート材によってカトラリーが滑り止めされているので、カトラリーが筒状部内で軸心廻りに回転せず安定するため、把持部を軽く握るだけで安定的に食事が行える。
【００１７】
（２）前記把持部の形状は特に限定されるものではないが、例えば、くびれ部と、前記くびれ部よりも前記差し込み口側に配置された先端側膨出部と、前記くびれ部よりも前記差し込み口と反対側に配置された基端側膨出部とを有する形状に形成されてもよい。
このようにすれば、グリップカバーの使用状態において、使用者は親指（第１指）と人差し指（第２指）にて細くなったくびれ部を掴み、かつ人差し指の第１関節付近が先端側膨出部に当たるようにして把持部を握ることができる。この結果、把持部への手のフィット感がさらに向上すると共に、長時間筆記を続けても中指の第１関節付近の痛みがさらに軽減される。
また、例えば、絵筆を装着したグリップカバーカバーの基端側膨出部を掴んで絵画を描くことができるため、細い絵筆を直接握る場合と比べて長時間の絵画制作でも手が疲れ難くなる。
【００１８】
（３）前記（２）の場合、前記基端側膨出部は、前記筒状部に筆記用具またはカトラリーを差し込んだ状態において、筆記用具またはカトラリーの軸心方向と直交する一方向に膨らんだ形状に形成されていてもよい。
このようにすれば、グリップカバーカバーの使用状態において、使用者の親指と人差し指の間の付け根部分に基端側膨出部を引っ掛けることができるため、把持部を軽く握っても筆記用具またはカトラリーがより一層手からずり落ち難くなる。よって、この構成（３）は、握力が弱い高齢者や手が不自由な身体障害者などに好適である。
【００１９】
（４）前記（３）の場合、前記先端側膨出部は、前記基端側膨出部が膨らんだ方向と同じ方向に膨らんでいてもよい。
このようにすれば、把持部への手のフィット感がさらに向上する。
【００２０】
（５）また、把持部は、前記（２）〜（４）以外に、凹凸がない略一定径の円柱形に形成されてもよい。
このようにすれば、把持部の全周囲のどこを掴んでも同じフィット感を得ることができる。また、把持部の形状がシンプルであるため、製造コストを低減できるメリットも得られる。
【００２３】
以下、図面を参照しながら本発明のグリップカバーカバーの実施形態を詳説する。
【００２４】
（実施形態１）
図１は本発明のグリップカバーカバーの実施形態１の使用状態を示す斜視図であり、図２は実施形態１のグリップカバーカバーの筆記用具装着前の状態を示す右側面図であり、図３は実施形態１のグリップカバーカバーの筆記用具装着前の状態を示す右側断面図であり、図４は実施形態１のグリップカバーカバーの筆記用具装着直前の状態を示す斜視図である。また、図５は実施形態１のグリップカバーカバーの筆記用具装着手順を説明する図であって、（Ａ）はボールペンの差し込み状態、（Ｂ）はボールペンの押し込み状態、（Ｃ）はボールペンの芯出し状態を示している。
【００２５】
実施形態１のグリップカバーカバーＣ１は、伸縮性の生地からなる袋１１内に粒子状の充填材１２が封入されてなる変形可能な袋体１０と、袋体１０の所定箇所に設けられた滑り止めシート材２０とを備え、使用前の袋体１０の形状は略ピストル形である（図２参照）。なお、図３において、充填材１２の一部は図示が省略されている。
【００２６】
袋体１０は、筆記用具であるノック式ボールペンＰ１のグリップＰ１ａを抜き差し可能な差し込み口１３ａを先端側に有する筒状部１３と、この筒状部１３を内包可能な把持部１４とを有してなる。
そして、このグリップカバーカバーＣ１は、ボールペンＰ１のグリップＰ１ａを筒状部１３に差し込み内部へ押し込んだ状態で使用者が把持部１４を握って筆記可能に構成されている（図１参照）。
【００２７】
さらに詳しく説明すると、筒状部１３は、略ピストル形の袋体１０の一部、すなわち、銃身先端部に対応する部分を内部へ押し込んで形成され、ボールペンＰ１のグリップＰ１ａの端部と接触可能な底部１３ｂを有している。なお、筆記用具装着前の状態において、筒状部１３の把持部１４側の略半分は外部に露出しており、この筒状部１３の外部に露出した面に滑り止めシート材２０が縫い付けられている。
【００２８】
把持部１４は、くびれ部１４ｂと、くびれ部１４ｂよりも差し込み口１３ａ側に配置された先端側膨出部１４ａと、くびれ部１４ｂよりも差し込み口１３ａと反対側に配置された基端側膨出部１４ｃとを有する形状に形成されている。
【００２９】
基端側膨出部１４ｃは筒状部１３にボールペンＰ１を差し込んだ状態において、ボールペンＰ１の軸心方向と直交する一方向に膨らんだ形状に形成され、一方、ピストルのトリガーガードに対応する部分である先端側膨出部１４ａは、基端側膨出部１４ｃが膨らんだ方向と同じ方向に膨らんでいる。なお、先端側膨出部１４ａと基端側膨出部１４ｃは、ピストルのトリガーガードとグリップに似た形状に形成されている。
【００３０】
袋体１０は、４０〜２００ｃｍ3程度の体積を有するサイズが適当である。
袋体１０を構成する袋１１は、例えば、２枚の略ピストル形の生地を縫い合わせて形成されている。なお、図１および図４において、符号１１ａは縫い目を表している。
【００３１】
袋体１０における袋の生地は、粒子状の充填材が通らない織り目または編み目を有していれば特に限定されないが、伸縮性を有していることが袋体１０の変形性を高められる上で好ましい。伸縮性を有する生地としては、例えば、ストレッチ試験で３０〜３００％の伸縮性を有する生地を用いることができ、具体的には、弾性を有するスパンデックス（ポリウレタン弾性糸）が挙げられる。なお、袋の一部が、伸縮性を有する生地にて構成されていてもよい。
【００３２】
袋体１０における粒子状の充填材としては、袋の生地の織り目または編み目を通らない大きさのものであれば特に限定されず、例えば、発泡樹脂粒子、ガラスビーズ、プラスチックビーズ、そば殻、木製ペレット、小石、砂等が挙げられる。これらの中でも、発泡樹脂粒子は、袋体１０を軽量化でき、袋体１０の反発力を抑えることができ、袋体１０の変形性および感触が良好となり、しかも、比較的低コストで得られるため好ましい。発泡樹脂粒子として、具体的には、平均粒子径０．３〜３．０ｍｍ程度の発泡ポリスチレン系樹脂粒子が好ましい。
【００３３】
なお、２枚の生地の縫い合わせて袋を作製する際、後から充填材を充填するために縫い合わせない箇所を１箇所残して充填口を形成し、その充填口にノズルを差し込んで袋内に充填材を充填した後、充填口を縫合すればよい。実施形態１の場合、筒状部１３の底部１３ａの部分に充填口を形成すれば充填後の充填口の縫合が容易となる。この場合、袋に突起部分が残るが、底部１３ａは袋体１０内へ押し込まれて隠されるため好都合である。
【００３４】
滑り止めシート材２０は、筒状部１３に縫い付けられる布製の帯形基材２０ａと、基材２０ａ上の外周部を除いて積層された滑り止め層２０ｂとを有してなる。
滑り止め層２０ｂの材料として、滑り止め性に優れたエラストマー（各種のゴム）や発泡樹脂等が適しており、例えば、シリコーンゴムや発泡塩化ビニール樹脂が好適である。
【００３５】
次に、このグリップカバーカバーＣ１にボールペンＰ１を装着する方法の一例を説明する。
まず、図４に示すように、滑り止めシート材２０の先端を袋体１０の差し込み口１３ａ側へ折り返す。
次に、図５（Ａ）に示すように、差し込み口１３ａにボールペンＰ１のグリップＰ１ａを差し込み、図５（Ａ）および（Ｂ）に示すように、グリップＰ１ａを筒状部１３内へ押し込んでいく。このとき、ボールペンＰ１のグリップＰ１ａを滑り止めシート材２０の滑り止め層２０ｂに擦りつけながら筒状部１３内へ押し込んでいくことにより、滑り止めシート材２０および筒状部１３の外部露出部分が差し込み口１３ａ側へ引きずられていく。
【００３６】
そして、滑り止めシート材２０が全体的に筒状部１３内へ送り込まれると共に、差し込み口１３ａがボールペンＰ１の先端付近に位置するまでボールペンＰ１を筒状部１３内へ押し込んだ後、図５（Ｃ）に示すように、把持部１４の基端側膨出部１４ｃを介してボールペンＰ１のノック棒Ｐ１ｂを押すことにより芯出しする。
【００３７】
このようにボールペンＰ１が装着されたグリップカバーカバーＣ１によれば、図１および図３に示すように、粒子状の充填材１２の流動性によって把持部１４は使用者の手にフィットする形状および太さに変形するため、細い筆記用具Ｐ１を直接握る場合と比べて長時間の筆記による使用者の手の疲れや指の痛みを軽減することができる。また、軽い力で把持部１４を握っても手からボールペンＰ１が脱落することなく筆記可能であるため、握力が弱い高齢者や手が不自由な身体障害者であってもこのグリップカバーカバーＣ１を介してボールペンＰ１を握って筆記することが可能となる。
【００３８】
ところで、筆記用具としてはボールペンＰ１や鉛筆やシャープペンシルといったものに限られず、例えば、図６に示すように、実施形態１のグリップカバーカバーＣ１に絵筆Ｐ２を装着して使用することもできる。この場合、絵筆Ｐ２を装着したグリップカバーカバーＣ１の基端側膨出部１４ｃを掴んで絵画を描くことができるため、細い絵筆Ｐ２を直接握る場合と比べて長時間の絵画制作でも手が疲れ難くなる。
【００３９】
（実施形態２：参考例）
図７は筆記用具を装着した実施形態２のグリップカバーカバーであって、（Ａ）は左側面図、（Ｂ）は左側断面図である。なお、図７において、図３中の要素と同様の要素には同一の符号を付している。
【００４０】
実施形態２のグリップカバーカバーＣ２も、実施形態１と同様に、袋内に粒子状の充填材１２が封入されてなる変形可能な袋体１１０を備えているが、実施形態２の袋体１１０の形状は実施形態１の袋体１０の形状とは異なっている。それに加え、実施形態１の袋体１０に設けられていた滑り止めシート材２０が実施形態２では省略されている。なお、図７において、充填材１２の一部は図示が省略されている。
【００４１】
以下、実施形態２における実施形態１とは異なる点を主に説明する。
実施形態２のグリップカバーカバーＣ２において、袋体１１０は、筆記用具Ｐ１のグリップＰ１ａを抜き差し可能な差し込み口１１３ａを先端側に有する筒状部１１３と、この筒状部１１３を内包可能な把持部１１４とを有し、竹輪形に形成されている。すなわち、実施形態２の場合、把持部１１４は、略一定径の円柱形に形成されており、一方、筒状部１１３は、把持部１１４の先端から基端に亘って貫通している。
【００４２】
この場合、筒状部１１３は、実施形態１のような底部１３ｂ（図３参照）を有さないため、把持部１１４の適当な位置を輪ゴムＧや紐等で縛ることにより、筒状部１１３に差し込んだ筆記用具（この場合、ボールペンＰ１）が筆記中に埋没することを防止できる。
【００４３】
また、図示省略するが、ボールペンＰ１の代わりに、例えば、グリップカバーカバーＣ２よりも長い書道用の筆をグリップカバーカバーＣ２に装着してもよい。この場合、グリップカバーカバーＣ２の把持部１１４における筆先と反対側の基端部を掴んで文字を書くことができる。
あるいは、書道用の筆を筒状部１１３に貫通状に差し込み、グリップカバーカバーＣ２を筆のグリップの好みの位置に移動させて使用することもできる。また、筒状部１１３内に滑り止めシート材２０（図２参照）を設けてもよい。
【００４４】
図８はスプーンを装着した実施形態２のグリップカバーの使用状態を示す斜視図である。
高齢者や手が不自由な身体障害者などにとってはスプーンＳ、ナイフ、フォークといったカトラリーをしっかり握って食事することが困難な場合があり、そのため、例えば、食事中にスプーンＳにて掬ったスープをこぼしたり、スプーンＳを落としてしまうといった粗相をすることがある。
そこで、カトラリー（この場合はスプーンＳ）のグリップに本発明のグリップカバーＣＳを装着することにより、握力が弱い高齢者や身体障害者であってもグリップカバーＣ２を軽く握るだけでカトラリーをしっかり保持することができるため、カトラリーを正しく使って食事中の粗相を軽減することができる。
なお、カトラリーのグリップに図１〜図６に示した実施形態１のグリップカバーＣ１を装着して用いてもよい。
【００４５】
（他の実施形態）
実施形態２では、貫通状の筒状部１１３を有するグリップカバーＣ２を例示したが、この筒状部１１３は実施形態１と同様に底部１３ｂ（図３参照）を有するものであってもよい。
【００４６】
なお、開示された実施形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００４７】
１０、１１０  袋体
１２  充填材
１３、１１３  筒状部
１３ａ、１１３ａ  差し込み口
１３ｂ  底部
１４、１１４  把持部
１４ａ  先端側膨出部
１４ｂ  くびれ部
１４ｃ  基端側膨出部
２０  滑り止めシート材
Ｐ１、Ｐ２  筆記用具
Ｐ１ａ  グリップ
【要約】
【課題】筆記用具またはカトラリーのグリップに装着することにより軽い力で握ることができるグリップカバーを提供すること。
【解決手段】袋内に粒子状の充填材が封入されてなる変形可能な袋体を備え、
前記袋体は、筆記用具またはカトラリーのグリップを抜き差し可能な差し込み口を先端側に有する筒状部と、この筒状部を内包可能な把持部とを有し、
筆記用具またはカトラリーのグリップを前記筒状部に差し込み内部へ押し込んだ状態で使用者が前記把持部を握って使用可能に構成されたことを特徴とするグリップカバー。
【選択図】図１【図１】
0005456933.tif 000002
【図２】
0005456933.tif 000003
【図３】
0005456933.tif 000004
【図４】
0005456933.tif 000005
【図５】
0005456933.tif 000006
【図６】
0005456933.tif 000007
【図７】
0005456933.tif 000008
【図８】
0005456933.tif 000009